(57)【要約】【課題】装置の起動管理を行う場合に、高いセキュリティを保持し、かつ起動管理操作が容易なこと。【解決手段】管理者ＲＦＩＤタグ９ａを有する付属部３と、付属部３が挿着される形状を有した嵌合穴３ａと、付属部３が嵌合穴３ａに挿着された状態となった場合に管理者ＲＦＩＤタグ９ａにアクセスが可能な位置に配置されたアンテナＡ１と、管理者ＲＦＩＤタグ９ａ以外のタグに対するアクセスが可能な位置に配置されたアンテナＡ２とを有し、非接触に読込および書込を行うリーダライタ４と、管理プログラム６ａ、作業者プログラム６ｂ、および管理テーブル６ｃを保持する記憶部６と、起動時にアンテナＡ１を介して管理者ＲＦＩＤタグ９ａに書き込まれた管理者ＩＤを読み込み、管理者ＩＤが管理テーブル６ｃの管理者ＩＤに一致する場合、管理プログラム６ａを起動するとともにアンテナＡ２に切り替える起動制御を行う起動制御部５ａとを備える。【選択図】        図２
2006252466.tif 000002
【特許請求の範囲】
【請求項１】
情報装置本体に着脱され、非接触に読込および書込が可能で管理者ＩＤが保持された管理者タグを有した付属品と、
情報装置本体側に設けられ、前記付属品が装着される形状を有し、前記付属品が着脱される装着部と、
前記付属品が前記装着部に装着された状態となった場合に前記管理者タグに対するアクセスが可能な位置に配置された第１のアンテナと、前記管理者タグ以外のタグに対するアクセスが可能な位置に配置された第２のアンテナとを有し、前記管理者タグおよび前記管理者以外のタグに対して非接触に読込および書込を行うリーダライタと、
前記管理者ＩＤおよび当該情報装置の管理プログラムを記憶した記憶手段と、
起動時に前記第１のアンテナを介して前記付属品が装着された状態の管理者タグに書き込まれた管理者ＩＤを読み込み、該管理者のＩＤが前記記憶手段に記憶された管理者ＩＤに一致する場合、前記管理プログラムを起動するとともに前記第１のアンテナから前記第２のアンテナに切り替える起動制御を行う制御手段と、
を備えたことを特徴とする情報装置。
【請求項２】
前記付属品が前記装着部に装着された状態を検出する検出手段を備え、
前記制御手段は、前記検出手段が前記付属品の装着を検出した場合に、前記第１のアンテナを介して前記付属品が装着された状態の管理者タグに書き込まれた管理者ＩＤを読み込み、該管理者のＩＤが前記記憶手段に記憶された管理者ＩＤに一致する場合、前記管理プログラムを起動するとともに前記第１のアンテナから前記第２のアンテナに切り替える起動制御を行うことを特徴とする請求項１に記載の情報装置。
【請求項３】
前記記憶手段は、当該情報装置を使用する作業者が使用可能な作業プログラムと、作業者ＩＤと該作業者ＩＤに割り当てられた作業プログラムとの対応関係が記述された管理テーブルとを備え、
前記管理プログラムは、少なくとも前記管理テーブルの対応関係を設定変更するプログラムであることを特徴とする請求項１または２に記載の情報装置。
【請求項４】
前記制御手段は、前記管理プログラムが起動時であって該管理プログラムによる管理テーブルの対応関係を設定変更する場合、前記リーダライタに対して前記第２のアンテナを介して前記作業者ＩＤが保持された作業者タグをアクセスし、読み込んだ該作業者ＩＤを前記管理テーブルに取り込むことを特徴とする請求項３に記載の情報装置。
【請求項５】
前記制御手段は、前記第２のアンテナを介して読み込んだ情報が前記作業者ＩＤである場合、該作業者ＩＤに対応する作業プログラムの起動を許可することを特徴とする請求項３または４に記載の情報装置。
【請求項６】
前記リーダライタは、前記第１のアンテナを介したアクセス周波数と前記第２のアンテナを介したアクセス周波数とが異なることを特徴とする請求項１〜５のいずれか一つに記載の情報装置。
【請求項７】
管理者および作業者を含む複数のユーザによって共用され、各作業者が各作業者に割り当てられた作業プログラムを用いて作業を行う情報装置であって、
前記管理者のＩＤである管理者ＩＤおよび前記作業者のＩＤである作業者ＩＤを含む各種情報が記憶されたタグから情報を読込および書込を非接触で行うリーダライタと、
前記管理者ＩＤ、前記作業者ＩＤ、管理者が使用可能な管理プログラム、前記作業者が使用可能な作業プログラム、および前記作業者ＩＤと該作業者ＩＤに割り当てられた作業プログラムとの対応関係が記述された管理テーブルを有した記憶手段と、
前記リーダライタが読み込んだ情報が前記管理者ＩＤである場合に前記管理プログラムを起動し、前記作業者ＩＤである場合に前記管理テーブルを参照して該作業者ＩＤに対応する作業者プログラムの起動を許可する制御を行う制御手段と、
を備えたことを特徴とする情報装置。
【請求項８】
前記制御手段は、前記管理プログラムが起動時であって該管理プログラムによる管理テーブルの対応関係を設定変更する場合、前記リーダライタに対して前記作業者ＩＤが保持された作業者タグをアクセスし、読み込んだ該作業者ＩＤを前記管理テーブルに取り込むことを特徴とする請求項７に記載の情報装置。
【請求項９】
携帯型であることを特徴とする請求項１〜８のいずれか一つに記載の情報装置。
【請求項１０】
管理者および作業者を含む複数のユーザによって共用され、各作業者ＩＤと各作業者ＩＤに割り当てられた作業プログラムとの対応関係を、管理者ＩＤを有する管理者のみがアクセスできる管理プログラムを用いて設定変更が可能な情報装置の起動管理プログラムであって、
前記管理者ＩＤを非接触で読み込む読込手順と、
前記管理者ＩＤ以外の情報を非接触で読込が可能な状態に切り替える切替手順と、
非接触で読み込んだ情報が前記管理者ＩＤである場合に前記管理プログラムを起動し、前記管理テーブルの内容の設定変更を行う場合、前記作業者ＩＤを非接触で読み込ませ、該読み込んだ該作業者ＩＤを前記管理テーブルに取り込む手順と、
非接触で読み込んだ情報が前記対応関係をもつ前記作業者ＩＤである場合に前記管理テーブルを参照して該作業者ＩＤに対応する作業者プログラムの起動を許可する手順と、
をコンピュータに実行させることを特徴とする起動管理プログラム。
【請求項１１】
管理者および作業者を含む複数のユーザによって共用され、各作業者ＩＤと各作業者ＩＤに割り当てられた作業プログラムとの対応関係を、管理者ＩＤを有する管理者のみがアクセスできる管理プログラムを用いて設定変更が可能な情報装置の起動管理プログラムであって、
前記管理者ＩＤあるいは前記作業者ＩＤを含む情報を非接触で読み込む読込手順と、
非接触で読み込んだ前記情報が前記管理者ＩＤである場合に前記管理プログラムを起動し、前記対応関係をもつ前記作業者ＩＤである場合に前記管理テーブルを参照して該作業者ＩＤに対応する作業者プログラムの起動を許可する手順と、
をコンピュータに実行させることを特徴とする起動管理プログラム。
【請求項１２】
前記管理プログラムの起動後に前記管理テーブルの内容の設定変更を行う場合、前記作業者ＩＤを非接触で読み込ませ、該読み込んだ該作業者ＩＤを前記管理テーブルに取り込む手順をさらに含むことを特徴とする請求項１１に記載の起動管理プログラム。
【発明の詳細な説明】
【技術分野】
【０００１】
この発明は、管理者および作業者を含む複数のユーザによって共用され、各作業者が各作業者に割り当てられた作業プログラムを用いて作業を行うことができる情報装置および起動管理プログラムに関するものである。
【背景技術】
【０００２】
近年、情報端末装置には、業務分野ごとに開発された種々の作業プログラムが組み込まれている。これら組み込まれた作業プログラムには、特定の業務分野に必要な秘密情報を扱うプログラムや、医療分野において適用対象者の生命に影響を与えるプログラムが含まれる場合がある。このため、情報端末装置は、作業者が常時携帯できるようにして第三者が使用できないようにし、さらには作業プログラムに対するアクセス時に作業者のＩＤやパスワードを手作業で入力する等のセキュリティ対策を施している（特許文献１，２参照）。
【０００３】
【特許文献１】特開２００３−８５４９８号公報
【特許文献２】特開２００３−８７３７号公報
【発明の開示】
【発明が解決しようとする課題】
【０００４】
しかしながら、作業途中で邪魔になるなどの理由から、情報端末装置が常時携帯できない場合が生じ、この場合、情報端末装置を放置され、この情報端末装置は、一定時間経過後に、起動時における作業者ＩＤやパスワードの入力を要求するロック状態に移行するものの、再起動時に作業者のＩＤやパスワードを手入力するため、これら作業者のＩＤやパスワードが盗まれやすく、セキュリティが脆弱であるとともに、作業者のＩＤやパスワードの入力が煩雑であるという問題点があった。
【０００５】
また、管理者のみが起動できる管理プログラムを起動する場合も管理者のＩＤやパスワードが盗まれやすく、セキュリティが脆弱であるという問題点があった。さらに、管理プログラムの起動後に、この管理プログラムを用いて各作業者に対応する作業プログラムの設定変更を行う場合、各作業者のＩＤなどを手入力していたため、この場合もセキュリティ上の問題があった。
【０００６】
この発明は、上記に鑑みてなされたものであって、装置の起動管理を行う場合に、高いセキュリティを保持し、かつ起動管理操作が容易な情報装置および起動管理プログラムを提供することを目的とする。
【課題を解決するための手段】
【０００７】
上述した課題を解決し、目的を達成するために、請求項１にかかる情報装置は、情報装置本体に着脱され、非接触に読込および書込が可能で管理者ＩＤが保持された管理者タグを有した付属品と、情報装置本体側に設けられ、前記付属品が装着される形状を有し、前記付属品が着脱される装着部と、前記付属品が前記装着部に装着された状態となった場合に前記管理者タグに対するアクセスが可能な位置に配置された第１のアンテナと、前記管理者タグ以外のタグに対するアクセスが可能な位置に配置された第２のアンテナとを有し、前記管理者タグおよび前記管理者以外のタグに対して非接触に読込および書込を行うリーダライタと、前記管理者ＩＤおよび当該情報装置の管理プログラムを記憶した記憶手段と、起動時に前記第１のアンテナを介して前記付属品が装着された状態の管理者タグに書き込まれた管理者ＩＤを読み込み、該管理者のＩＤが前記記憶手段に記憶された管理者ＩＤに一致する場合、前記管理プログラムを起動するとともに前記第１のアンテナから前記第２のアンテナに切り替える起動制御を行う制御手段と、を備えたことを特徴とする。
【０００８】
また、請求項２にかかる情報装置は、上記の発明において、前記付属品が前記装着部に装着された状態を検出する検出手段を備え、前記制御手段は、前記検出手段が前記付属品の装着を検出した場合に、前記第１のアンテナを介して前記付属品が装着された状態の管理者タグに書き込まれた管理者ＩＤを読み込み、該管理者のＩＤが前記記憶手段に記憶された管理者ＩＤに一致する場合、前記管理プログラムを起動するとともに前記第１のアンテナから前記第２のアンテナに切り替える起動制御を行うことを特徴とする。
【０００９】
また、請求項３にかかる情報装置は、上記の発明において、前記記憶手段は、当該情報装置を使用する作業者が使用可能な作業プログラムと、作業者ＩＤと該作業者ＩＤに割り当てられた作業プログラムとの対応関係が記述された管理テーブルとを備え、前記管理プログラムは、少なくとも前記管理テーブルの対応関係を設定変更するプログラムであることを特徴とする。
【００１０】
また、請求項４にかかる情報装置は、上記の発明において、前記制御手段は、前記管理プログラムが起動時であって該管理プログラムによる管理テーブルの対応関係を設定変更する場合、前記リーダライタに対して前記第２のアンテナを介して前記作業者ＩＤが保持された作業者タグをアクセスし、読み込んだ該作業者ＩＤを前記管理テーブルに取り込むことを特徴とする。
【００１１】
また、請求項５にかかる情報装置は、上記の発明において、前記制御手段は、前記第２のアンテナを介して読み込んだ情報が前記作業者ＩＤである場合、該作業者ＩＤに対応する作業プログラムの起動を許可することを特徴とする。
【００１２】
また、請求項６にかかる情報装置は、上記の発明において、前記リーダライタは、前記第１のアンテナを介したアクセス周波数と前記第２のアンテナを介したアクセス周波数とが異なることを特徴とする。
【００１３】
また、請求項７にかかる情報装置は、管理者および作業者を含む複数のユーザによって共用され、各作業者が各作業者に割り当てられた作業プログラムを用いて作業を行う情報装置であって、前記管理者のＩＤである管理者ＩＤおよび前記作業者のＩＤである作業者ＩＤを含む各種情報が記憶されたタグから情報を読込および書込を非接触で行うリーダライタと、前記管理者ＩＤ、前記作業者ＩＤ、管理者が使用可能な管理プログラム、前記作業者が使用可能な作業プログラム、および前記作業者ＩＤと該作業者ＩＤに割り当てられた作業プログラムとの対応関係が記述された管理テーブルを有した記憶手段と、前記リーダライタが読み込んだ情報が前記管理者ＩＤである場合に前記管理プログラムを起動し、前記作業者ＩＤである場合に前記管理テーブルを参照して該作業者ＩＤに対応する作業者プログラムの起動を許可する制御を行う制御手段と、を備えたことを特徴とする。
【００１４】
また、請求項８にかかる情報装置は、上記の発明において、前記制御手段は、前記管理プログラムが起動時であって該管理プログラムによる管理テーブルの対応関係を設定変更する場合、前記リーダライタに対して前記作業者ＩＤが保持された作業者タグをアクセスし、読み込んだ該作業者ＩＤを前記管理テーブルに取り込むことを特徴とする。
【００１５】
また、請求項９にかかる情報装置は、上記の発明において、携帯型であることを特徴とする。
【００１６】
また、請求項１０にかかる起動管理プログラムは、管理者および作業者を含む複数のユーザによって共用され、各作業者ＩＤと各作業者ＩＤに割り当てられた作業プログラムとの対応関係を、管理者ＩＤを有する管理者のみがアクセスできる管理プログラムを用いて設定変更が可能な情報装置の起動管理プログラムであって、前記管理者ＩＤを非接触で読み込む読込手順と、前記管理者ＩＤ以外の情報を非接触で読込が可能な状態に切り替える切替手順と、非接触で読み込んだ情報が前記管理者ＩＤである場合に前記管理プログラムを起動し、前記管理テーブルの内容の設定変更を行う場合、前記作業者ＩＤを非接触で読み込ませ、該読み込んだ該作業者ＩＤを前記管理テーブルに取り込む手順と、  非接触で読み込んだ情報が前記対応関係をもつ前記作業者ＩＤである場合に前記管理テーブルを参照して該作業者ＩＤに対応する作業者プログラムの起動を許可する手順と、をコンピュータに実行させることを特徴とする。
【００１７】
また、請求項１１にかかる起動管理プログラムは、管理者および作業者を含む複数のユーザによって共用され、各作業者ＩＤと各作業者ＩＤに割り当てられた作業プログラムとの対応関係を、管理者ＩＤを有する管理者のみがアクセスできる管理プログラムを用いて設定変更が可能な情報装置の起動管理プログラムであって、前記管理者ＩＤあるいは前記作業者ＩＤを含む情報を非接触で読み込む読込手順と、非接触で読み込んだ前記情報が前記管理者ＩＤである場合に前記管理プログラムを起動し、前記対応関係をもつ前記作業者ＩＤである場合に前記管理テーブルを参照して該作業者ＩＤに対応する作業者プログラムの起動を許可する手順と、をコンピュータに実行させることを特徴とする。
【００１８】
また、請求項１２にかかる起動管理プログラムは、上記の発明において、前記管理プログラムの起動後に前記管理テーブルの内容の設定変更を行う場合、前記作業者ＩＤを非接触で読み込ませ、該読み込んだ該作業者ＩＤを前記管理テーブルに取り込む手順をさらに含むことを特徴とする。
【発明の効果】
【００１９】
この発明によれば、制御手段が、リーダライタの読み込んだ情報が管理者ＩＤである場合に管理プログラムを起動し、作業者ＩＤである場合に管理テーブルを参照して該作業者ＩＤに対応する作業者プログラムの起動を許可する制御を行い、さらに管理プログラムが起動時であって該管理プログラムによる管理テーブルの対応関係を設定変更する場合、該作業者ＩＤが保持された作業者タグをアクセスし、読み込んだ該作業者ＩＤを該管理テーブルに取り込むようにし、特に管理者ＩＤをもつタグを情報装置本体の付属品に取り付け、この付属品が情報装置本体に装着されたときに管理者ＩＤを非接触で読み込める状態を形成しているので、高いセキュリティを保持でき、かつ起動管理操作が容易であるという効果を奏する。
【発明を実施するための最良の形態】
【００２０】
以下、図面を参照して、この発明の最良の形態である情報装置および起動管理プログラムについて説明する。なお、ここでは情報装置の一例として携帯可能な情報端末装置について説明する。
【００２１】
（実施の形態１）
図１は、この発明の実施の形態１である情報端末装置の概要構成を示す斜視図である。また、図２は、この発明の実施の形態１である情報端末装置の構成を示すブロック図である。図１および図２において、情報端末装置１は、ＲＦＩＤタグの読込書込機能を有し、各種の情報処理および通信処理を行い、たとえばＰＤＡなどによって実現される。この情報端末装置１は、情報端末装置本体２と、この情報端末装置本体２の嵌合穴３ａに挿脱されるスタイラスペンなどによって実現される付属部３とを有する。
【００２２】
情報端末装置本体２は、アンテナＡ１，Ａ２を介して、付属部３に設けられた管理者ＲＦＩＤタグ９ａ、作業者ＲＦＩＤタグ９ｂ、およびＲＦＩＤタグ９ｃを非接触で情報の読込および書込を行うＲＦＩＤリーダライタ４と、起動制御部５ａを有した制御部５と、管理プログラム６ａ、作業プログラム６ｂ、および管理テーブル６ｃを有した記憶部６と、ＲＦＩＤボタン７ａを有した入力部７と、少なくとも表示出力機能を有する出力部８とを有する。制御部５は、ＲＦＩＤリーダライタ４、記憶部６、入力部７、出力部８を接続し、各部の制御を行う。なお、出力部８は、タッチパネルとしても機能し、スタイラスペンあるいは押圧などによって入力処理を行うことができる。
【００２３】
ＲＦＩＤリーダライタ４のアンテナＡ１は、付属部３が嵌合穴３ａに挿入された状態で、付属部３の管理者ＲＦＩＤタグ９ａに対してのみアクセスできる位置に配置される。具体的には、管理者ＲＦＩＤタグ９ａに近接した位置に配置され、通信距離は数ｍｍ程度が好ましい。ＲＦＩＤリーダライタ４のアンテナＡ２は、アンテナＡ１とは別個で異なる位置に設けられ、たとえば情報端末装置本体２の前端部に設けられ、通信距離に制限はない。ＲＦＩＤリーダライタ４は、切替部４ａを有し、切替部４ａは、アンテナＡ１とアンテナＡ２との切り替えを行う。
【００２４】
記憶部６に記憶された管理プログラム６ａは、管理者ＩＤをもつユーザが起動することができるアプリケーションプログラムであり、管理テーブル６ｃの内容の削除を含む設定変更を行うことができるアクセス管理用のプログラムである。作業プログラム６ｂは、作業者ＩＤをもつユーザが起動することができるアプリケーションプログラムであり、ＲＦＩＤタグ９ｃ内の情報の読込などによって得た情報に対する処理を行うプログラムである。この作業プログラム６ｂには、たとえば血液分析装置などにおける試薬や備品を管理するプログラムや情報処理装置１自体のメンテナンスに関するプログラムである。
【００２５】
管理テーブル６ｃには、管理者ＩＤ、作業者ＩＤ、作業者ＩＤとこの作業者ＩＤによって起動が許可された１以上の作業プログラム６ｂとの対応関係が登録されている。図３は、この管理テーブル６ｃの一例を示す図であり、管理者ＩＤおよび複数の作業者ＩＤが登録されているとともに、各作業者ＩＤによって起動が許可される作業プログラム群が対応づけられている。たとえば、作業者ＩＤ「１００１」には、３つの作業プログラム「Ａ」，「Ｂ」，「Ｃ」が対応づけられ、作業者ＩＤ「２００１」には、２つの作業プログラム「Ａ」，「Ｄ」が対応づけられている。この場合、作業者ＩＤ「１００１」では、作業プログラム「Ｄ」を起動することができず、作業者ＩＤ「２００１」では、作業プログラム「Ｂ」，「Ｃ」を起動することができないことになる。
【００２６】
ここで、図４〜図６に示すフローチャートを参照して、起動制御部５ａによる起動管理制御処理について説明する。図４において、まず起動制御部５ａは、起動されたか否かを判断する（ステップＳ１０１）。この起動は、たとえばＲＦＩＤボタン７ａの押下である読込スイッチがオンされた場合や電源スイッチなどが押下された場合をいい、起動処理の起点である。この起動があった場合（ステップＳ１０１，Ｙｅｓ）、ＲＦＩＤリーダライタ４に対して読込処理を行わせ、付属部３が嵌合穴３ａに挿着されている場合、管理者ＲＦＩＤタグ内の情報が読み込まれる（ステップＳ１０２）。なお、装置の初期状態では、アンテナＡ１に切り替えられている。
【００２７】
その後、ステップＳ１０２で読み込んだ管理者ＩＤが記憶部６の管理テーブル６ｃに記憶された管理者ＩＤと一致するか否かを判断する（ステップＳ１０３）。管理者ＩＤが一致する場合（ステップＳ１０３，Ｙｅｓ）、アンテナＡ１からアンテナＡ２に切り替える処理を行い（ステップＳ１０４）、その後管理プログラム６ｂを起動し（ステップＳ１０５）、さらに、この管理プログラム６ｂを用いた管理処理を行い（ステップＳ１０６）、最後にアンテナＡ２をアンテナＡ１に切り替えて（ステップＳ１０９）、本処理を終了する。一方、管理者ＩＤが一致しない場合（ステップＳ１０３，Ｎｏ）、アンテナＡ１をアンテナＡ２に切り替え（ステップＳ１０７）、その後、作業プログラムの起動による作業処理を実行する作業処理を行い（ステップＳ１０８）、最後にアンテナＡ２をアンテナＡ１に切り替えて（ステップＳ１０９）、本処理を終了する。
【００２８】
このようなアンテナＡ１と管理者ＲＦＩＤタグとの通信距離をもたせ、切替部４ａのアンテナ切替を行うことによって、情報端末装置１が第三者に起動されることがなく、管理プログラムも、嵌合穴３ａに挿着できる物理的な付属部３を有し、かつ管理者ＩＤが書き込まれた管理者ＲＦＩＤタグをもつ付属部３を有した者でない限り、起動することができず、付属部３の挿着という簡易な操作によって高いセキュリティを保持することができる。しかも、管理者ＩＤを手入力することがないので、第三者は管理者ＩＤを盗みにくく、一層セキュリティを高めることができる。
【００２９】
ここで、図５に示すフローチャートを参照して、ステップＳ１０６の管理処理について説明する。この管理処理では、すでに管理プログラム６ａが起動された状態にある。まず、管理プログラム６ａは、まず入力された動作コマンドが削除コマンドであるか、設定コマンドであるか、ログオフコマンドであるかを判断する（ステップＳ２０１）。
【００３０】
動作コマンドが削除コマンドである場合（ステップＳ２０１，削除コマンド）、管理プログラム６ａは、削除情報の入力依頼を行い（ステップＳ２０２）、作業者ＩＤを削除指示などの入力情報に対するアクセス権限の削除処理を行い（ステップＳ２０３）、管理プログラム６ａを終了し（ステップＳ２０８）、ステップＳ１０６にリターンする。
【００３１】
また、動作コマンドが設定コマンドであり場合（ステップＳ２０１，設定コマンド）、管理プログラム６ａは、設定情報の入力依頼を行い（ステップＳ２０４）、設定情報の入力を待つ。その後、作業者ＲＦＩＤタグ９ｂに対する情報の読込指示か否かを判断し（ステップＳ２０５）、作業者ＲＦＩＤタグ９ｂに対する情報の読込指示である場合（ステップＳ２０５，Ｙｅｓ）、作業者ＲＦＩＤタグ９ｂから作業者ＩＤの読込処理を行い（ステップＳ２０６）、この読み込んだ作業者ＩＤに対するアクセス権限の設定処理を行い（ステップＳ２０７）、管理プログラムを終了し（ステップＳ２０８）、ステップＳ１０６にリターンする。一方、作業者ＲＦＩＤタグに対する情報の読込指示でない場合（ステップＳ２０５，Ｎｏ）、入力情報に対応したアクセス権限の設定処理を行い（ステップＳ２０７）、その後、管理プログラム６ａを終了し（ステップＳ２０８）、ステップＳ１０６にリターンする。
【００３２】
さらに、動作コマンドがログオフコマンドである場合（ステップＳ２０１，ログオフコマンド）、そのまま管理プログラム６ａを終了し（ステップＳ２０８）、ステップＳ１０６にリターンする。
【００３３】
このように、管理プログラム６ａの処理中であっても、作業者ＲＦＩＤタグ９ｂに対する作業者ＩＤの読込処理を行うようにしているので、管理処理上であっても、セキュリティを高めることができる。
【００３４】
ここで、図６に示すフローチャートを参照して、この管理プログラム６ａを用いて起動管理された状態において作業者が行うステップＳ１０８の作業処理の制御処理手順について説明する。
【００３５】
まず、起動制御部５ａは、読込スイッチがオンされたか否かを判断し（ステップＳ３０１）、読込スイッチがオンされる（ステップＳ３０１，Ｙｅｓ）と、アンテナＡ２を介して作業者ＲＦＩＤタグ９ｂあるいはＲＦＩＤタグ９ｃに対する情報の読込処理を行う（ステップＳ３０２）。なお、ステップ３０１では、読込スイッチに限らず、作業を開始するトリガを示すものであればよい。その後、この読み込まれた情報が作業者ＩＤであるか否かを判断する（ステップＳ３０３）。作業者ＩＤである場合（ステップＳ３０３，Ｙｅｓ）には、この作業者ＩＤが、管理テーブル６ｃに登録された作業者ＩＤであるか否かを判断する（ステップＳ３０４）。
【００３６】
作業者ＩＤが登録された作業者ＩＤである場合（ステップＳ３０４，Ｙｅｓ）、この作業者ＩＤが許可する作業プログラム６ｂであって入力指示された作業プログラム６ｂを起動する（ステップＳ３０５）。その後、この起動された作業プログラム９ｂを用いた作業処理、たとえばＲＦＩＤタグ内の情報を読み込む処理などを行う（ステップＳ３０６）。一方、ステップＳ３０３で、読み込んだ情報が作業者ＩＤでない場合、この読み込んだ情報に対する作業処理を実行する（ステップＳ３０６）。
【００３７】
その後、本処理を終了するか否かを判断し（ステップＳ３０７）、本処理を終了しない場合（ステップＳ３０７，Ｎｏ）、ステップＳ３０１に移行し、上述した処理を繰り返す。一方、ステップＳ３０４で、読み込んだ作業者ＩＤでない場合、およびステップＳ３０７で本処理を終了指示があった場合、ステップＳ１０８に移行する。
【００３８】
このようにして、作業者は、管理テーブル６ｃに登録された作業ＩＤをもつ作業者ＲＦＩＤタグを用いて情報端末装置１内の作業プログラム６ｂを起動することができるため、作業者毎の管理を個別に行うことができるとともに、非接触入力しているため、第三者によるＩＤの盗用などを防ぐことができ、セキュリティを一層高めることができる。
【００３９】
ここで、この実施の形態１の第１変形例について説明する。図２に示すように、付属部３と嵌合穴３ａとが挿着状態になったことを検出する検出部３ｂを設け、検出部３ｂが挿着状態を検出すると、ステップＳ１０１において起動された状態であると判断するようにしている。この検出部３ｂは、機械的なスイッチで実現できる。たとえば、嵌合穴３ａ側に復元可能な突起部を設け、付属部３の挿着によってこの突起部が押圧されることによって付属部３が挿着されたことを検出する。この検出部３ｂを設けることによって、読込スイッチなどをオンさせずとも、付属部３の挿着のみによって管理プログラム６ａを起動することができる。
【００４０】
図７は、この発明の実施の形態１の第２変形例を示すブロック図である。図７において、情報端末装置１１のアンテナＡ１１，Ａ１２は、それぞれアンテナＡ１，Ａ２に対応するが、各アンテナＡ１１，Ａ１２の共振周波数を異なるものとしている。これによってアンテナＡ１１による非接触読込とアンテナＡ１２による非接触読込とを確実に分けることができる。その他の構成は、実施の形態１と同じであり、同一構成部分には同一符号を付している。
【００４１】
図８は、この発明の実施の形態１の第３変形例を示す斜視図である。この第３変形例である情報端末装置１２は、付属部３を、通信ケーブル２３を有した通信コネクタ２２を付属部２１に代えている。その他の構成は実施の形態１と同じである。通信コネクタ２２は、内部に管理者ＲＦＩＤタグ９ａを有し、情報端末装置本体２側であって通信コネクタ２２が接続される底部近傍にアンテナＡ１が設けられている。したがって、通信コネクタ２２を情報端末装置本体２に挿着することによって管理者ＲＦＩＤタグ９ａ内の管理者ＩＤの読込が可能な状態となる。この場合、突起部２２ａ，２２ｂなどを設けて検出部３ｂとして用いることができる。なお、付属部２１は、電源ケーブルを有した電源コネクタであってもよい。
【００４２】
図９は、この発明の実施の形態１の第４変形例を示す斜視図である。また、図１０は、この発明の実施の形態１の第５変形例を示す斜視図である。図９に示した第４変形例である情報端末装置１３では、付属部３に代え、情報端末装置本体２の角部に設けられた切り欠き溝３２に嵌合し、断面がＬ字状の柱状片である付属部３１を設けている。この付属部３１も内部に、管理者ＲＦＩＤタグ９ａを有し、情報端末装置本体２側には、挿着状態において、この管理者ＲＦＩＤタグ９ａにアクセスすることができるアンテナＡ１が設けられている。
【００４３】
一方、図１０に示す第５変形例である情報端末装置１４では、付属部３に代えて、着脱可能なメモリなどによって構成される板状部材を付属部４１として設けている。情報端末装置本体１側には、この付属部４１が挿脱される挿脱部４２が設けられ、付属部４１が挿着された状態で、管理者ＲＦＩＤタグ９ａに対するアクセスが可能な位置に、アンテナＡ１が設けられる。
【００４４】
なお、上述した実施の形態１では、起動制御部５ａが、付属部３の挿着時にアンテナＡ１側に切り替えるようにしていたが、これに限らず、切替部３がアンテナＡ１，Ａ２とを時分割で切り替えていてもよい。
【００４５】
この実施の形態１では、情報端末装置本体部２に設けられた嵌合穴３ａなどに対して物理的に挿脱可能な付属部３を設け、この付属部３の挿着状態が形成されてはじめて付属部３の管理者ＲＦＩＤタグ９ａ内の情報が非接触で読込可能状態となるようにしているので、管理者ＩＤの非接触読込に加えて、物理的な構成配置による制限が加えられ、管理プログラム９ａの起動に対するセキュリティを一層高めている。
【００４６】
（実施の形態２）
つぎに、この発明の実施の形態２について説明する。上述した実施の形態１では、付属部３を設け、管理プログラム９ａの起動に対するセキュリティを高めていたが、この実施の形態２では、同一アンテナによって全てのＲＦＩＤタグに対する非接触アクセスを行うという簡易な構成で、管理プログラム９ａ、作業プログラム９ｂなどのアクセス管理処理をソフトウェアのみで制限するようにしている。
【００４７】
図１１は、この発明の実施の形態２である情報端末装置１５の構成を示す斜視図である。また、図１２は、この発明の実施の形態２である情報端末装置１５の構成を示すブロック図である。図１１および図１２において、この情報端末装置１５は、実施の形態１と異なり、切替部４ａをもたず、１つのアンテナＡ２１を有する。起動制御部５ａに対応する起動制御部５５ａは、アンテナ切替処理以外は、実質的に実施の形態１と同じ起動制御を行う。その他の構成は実施の形態１と同じであり、同一構成部分には同一符号を付している。
【００４８】
ここで、図１３に示すフローチャートを参照して、起動制御部５５ａによる起動管理制御処理について説明する。図１３において、起動制御部５５ａは、まず起動されたか否かを判断する（ステップＳ４０１）。起動される（ステップＳ４０１，Ｙｅｓ）と、アンテナＡ２１を介して管理者ＲＦＩＤタグ９ａ、作業者ＲＦＩＤタグ９ｂ、あるいはＲＦＩＤタグ９ｃに対する非接触の読込処理を行う（ステップＳ４０２）。その後、起動制御部５５ａは、読み込んだ情報が管理者ＩＤであるか否かを管理テーブル６ｃの登録状態を参照して判断する（ステップＳ４０３）。
【００４９】
読み込んだ情報が管理者ＩＤである場合（ステップＳ４０３，Ｙｅｓ）には、管理プログラム６ａを起動し（ステップＳ４０４）、図５に示した管理処理と同じ処理を行い（ステップＳ４０５）、本処理を終了する。
【００５０】
一方、読み込んだ情報が管理者ＩＤでない場合（ステップＳ４０３，Ｎｏ）には、さらに、読み込んだ情報が、管理テーブル６ｃに登録された作業者ＩＤであるか否かを判断する（ステップＳ４０６）。登録された作業者ＩＤである場合（ステップＳ４０６，Ｙｅｓ）には、この作業者ＩＤに対応づけられた作業プログラム６ｂであって入力指示された作業プログラム６ｂを起動する（ステップＳ４０７）。その後、さらに読込スイッチがオンされたか否かを判断し（ステップＳ４０８）、読込スイッチがオンされた場合（ステップＳ４０８，Ｙｅｓ）には、アンテナＡ２１を介して新たな情報を非接触で読み込む処理を行い（ステップＳ４０９）、この読み込んだ情報に対する作業処理を行う（ステップＳ４１０）。一方、読込スイッチがオンされていない場合（ステップＳ４０８，Ｎｏ）には、入力された情報に対する作業処理を行う（ステップＳ４１０）。
【００５１】
その後、終了指示があったか否かを判断し（ステップＳ４１１）、終了指示がない（ステップＳ４１１，Ｎｏ）限りはステップＳ４０８に移行して作業プログラムによる作業処理を繰り返し行う。一方、終了指示があった場合（ステップＳ４１１，Ｙｅｓ）および登録された作業者ＩＤでなかった場合（ステップＳ４０６，Ｎｏ）には、そのまま本処理を終了する。
【００５２】
この実施の形態２では、管理者のみが取り扱うことができる管理プログラム６ａを起動できる管理者ＩＤの情報と、この管理プログラムによって設定された作業者のみが取り扱うことができる作業プログラム６ｂを起動することができる作業者ＩＤの情報と、作業プログラム６ｂの動作時に非接触で読み込まれる情報とを切り分け、これらの起動管理制御を起動制御部５５ａのみによって管理制御するようにし、しかも非接触で管理者ＩＤなどの情報を入力するようにしているので、簡易な構成でセキュリティの高い情報端末装置を実現することができる。
【図面の簡単な説明】
【００５３】
【図１】この発明の実施の形態１である情報端末装置の構成を示す斜視図である。
【図２】図１に示した情報端末装置の構成を示すブロック図である。
【図３】管理テーブルの内容の一例を示す図である。
【図４】起動制御部による管理プログラムの起動管理制御手順を示すフローチャートである。
【図５】図４に示した管理処理の詳細処理手順を示すフローチャートである。
【図６】起動制御部による作業プログラムの起動管理制御手順を示すフローチャートである。
【図７】この発明の実施の形態１の第２変形例の構成を示すブロック図である。
【図８】この発明の実施の形態１の第３変形例の構成を示す斜視図である。
【図９】この発明の実施の形態１の第４変形例の構成を示す斜視図である。
【図１０】この発明の実施の形態１の第５変形例の構成を示す斜視図である。
【図１１】この発明の実施の形態２である情報端末装置の構成を示す斜視図である。
【図１２】図１１に示した情報端末装置の構成を示すブロック図である。
【図１３】図１２に示した起動制御部による起動管理制御手順を示すフローチャートである。
【符号の説明】
【００５４】
１，１１，１２，１３，１４，１５    情報端末装置
２    情報端末装置本体
３，２１，３１，４１    付属部
３ａ  嵌合穴
３ｂ  検出部
４，５４    ＲＦＩＤリーダライタ
４ａ  切替部
５    制御部
５ａ，５５ａ  起動制御部
６    記憶部
６ａ  管理プログラム
６ｂ  作業プログラム
６ｃ  管理テーブル
７    入力部
７ａ  ＲＦＩＤボタン
８    出力部
９ａ  管理者ＲＦＩＤタグ
９ｂ  作業者ＲＦＩＤタグ
９ｃ  ＲＦＩＤタグ
Ａ１，Ａ２，Ａ１１，Ａ１２，Ａ２１    アンテナ
【図１】
2006252466.tif 000003
【図２】
2006252466.tif 000004
【図３】
2006252466.tif 000005
【図４】
2006252466.tif 000006
【図５】
2006252466.tif 000007
【図６】
2006252466.tif 000008
【図７】
2006252466.tif 000009
【図８】
2006252466.tif 000010
【図９】
2006252466.tif 000011
【図１０】
2006252466.tif 000012
【図１１】
2006252466.tif 000013
【図１２】
2006252466.tif 000014
【図１３】
2006252466.tif 000015